(57)【特許請求の範囲】
【請求項１】
利用者の操作によって定常姿勢から操作姿勢に変更される操作部材と、当該操作部材に隣接して配置される隣接部材とを備える家具であって、
前記操作部材に設けられ、前記操作部材が前記操作姿勢とされたときに前記操作部材と隣接部材とによって生じる隙間を閉塞する遮蔽部を備え、
前記操作部材が、水平方向に延設される枢軸と、表裏面を上下に向ける板状とされると共に当該枢軸を中心として先端側が上昇されることで前記操作姿勢とされる操作プレートとを備え、
前記隣接部材が、前記定常姿勢の前記操作部材における前記操作プレートと同一高さに配置されると共に表裏面を上下に向けるフランジを備え、
前記遮蔽部は、前記操作プレートの前記フランジ側の縁部から下方に突出すると共に、前記操作部材と前記隣接部材との配列方向に表裏面を向ける遮蔽片からなり、
前記遮蔽片は、前記操作プレートの奥側から先端側に向かうに連れて下方に向かうと共に下方に向けて露出された傾斜辺を有する
ことを特徴とする家具。
【請求項２】
前記操作部材は、
前記操作プレートと前記枢軸とを連結する連結部と、
連結部の下面に設けられる突出部と
を備えることを特徴とする請求項１記載の家具。
【請求項３】
前記フランジの上面に沿って移動されるレバーを有すると共に当該レバーを利用者が移動することによって回動可能とされる第２操作部材を備えることを特徴とする請求項１または２記載の家具。
【請求項４】
座の側部あるいは下方に設けられると共に利用者の操作によって定常姿勢から操作姿勢に変更される操作部材と、当該操作部材に隣接して配置される隣接部材とを備える椅子であって、
前記操作部材に設けられ、前記操作部材が前記操作姿勢とされたときに前記操作部材と隣接部材とによって生じる隙間を閉塞する遮蔽部を備え、
前記操作部材が、水平方向に延設される枢軸と、表裏面を上下に向ける板状とされると共に当該枢軸を中心として先端側が上昇されることで前記操作姿勢とされる操作プレートとを備え、
前記隣接部材が、前記定常姿勢の前記操作部材における前記操作プレートと同一高さに配置されると共に表裏面を上下に向けるフランジを備え、
前記遮蔽部は、前記操作プレートの前記フランジ側の縁部から下方に突出すると共に、前記操作部材と前記隣接部材との配列方向に表裏面を向ける遮蔽片からなり、
前記遮蔽片は、前記操作プレートの奥側から先端側に向かうに連れて下方に向かうと共に下方に向けて露出された傾斜辺を有する
ことを特徴とする椅子。
【発明の詳細な説明】
【技術分野】
【０００１】
本発明は、家具及び椅子に関するものである。
【背景技術】
【０００２】
例えば、オフィス等で使用される椅子のなかには、座面高さ調節やロッキングの強弱調節が可能なものがある。このような椅子には、これらの調整を行うための操作部材が設けられており、例えば着座者が操作部材の姿勢を変更することによって種々の調整が可能とされている（例えば特許文献１参照）。
【先行技術文献】
【特許文献】
【０００３】
【特許文献１】特開２００２−１１９３５５号公報
【発明の概要】
【発明が解決しようとする課題】
【０００４】
ところで、上述のような操作部材を備える椅子においては、一体感を出して美感を向上させるために見た目において操作部材に滑らかに繋がる部材を操作部材に隣接させて設けたり、操作性を向上させるために操作部材を隣接して配置したりする場合がある。つまり、操作部材を備える椅子においては、操作部材に隣接して他の部材（隣接部材）が設けられる場合がある。このように、隣接部材が設けられている操作部材の姿勢を変更するように移動させると、操作部材と隣接部材との間に隙間が生じる場合がある。椅子の利用者が上記隙間に指を差し込むと、操作部材の姿勢が元の姿勢に戻るときに、利用者の指が操作部材と隣接部材とに挟まれることになる。通常、操作部材が元の姿勢に戻すための付勢力は弱く設定されており、利用者が指を痛めることはないように設計はされている。しかしながら、操作部材と隣接部材とに指が挟まれると、利用者に対して不快感を与えることになる。
【０００５】
なお、このような問題は、椅子に限られるものではなく、例えば天板の高さを調節可能な机等の姿勢が変更される操作部材を備える家具全般に生じるものである。
【０００６】
本発明は、上述する問題点に鑑みてなされたもので、姿勢が変更される操作部材を備える家具において、操作部材と当該操作部材に隣接して配置される隣接部材との隙間に利用者の指が挟まれることによって、利用者に不快感を与えることを防止することを目的とする。
【課題を解決するための手段】
【０００７】
本発明は、上記課題を解決するための手段として、以下の構成を採用する。
【０００８】
第１の発明は、利用者の操作によって定常姿勢から操作姿勢に変更される操作部材と、当該操作部材に隣接して配置される隣接部材とを備える家具であって、上記操作部材あるいは上記隣接部材に設けられ、上記操作部材が上記操作姿勢とされたときに上記操作部材と隣接部材とによって生じる隙間を閉塞する遮蔽部を備えるという構成を採用する。
【０００９】
本発明によれば、操作部材が操作姿勢とされたときに操作部材と隣接部材とによって生じる隙間が遮蔽部によって閉塞される。このため、利用者の指が操作部材と隣接部材とに挟まれることを防止することができ、利用者に不快感を与えることを防止することができる。
【００１０】
第２の発明は、上記第１の発明において、上記操作部材が、水平方向に延設される枢軸と、表裏面を上下に向ける板状とされると共に当該枢軸を中心として先端側が上昇されることで上記操作姿勢とされる操作プレートとを備え、上記隣接部材が、上記定常姿勢の上記操作部材における上記操作プレートと同一高さに配置されると共に表裏面を上下に向けるフランジを備えるという構成を採用する。
【００１１】
本発明によれば、操作部材が備える操作プレートと隣接部材のフランジとが、操作部材が定常姿勢である場合に同一高さに並んで配列されるため、操作部材と隣接部材との一体感が増し、美感に優れたものとなる。一方で、操作プレートの先端が上下動されることによって操作部材が姿勢変更されるため、操作プレートとフランジとの間に隙間が生じやすい。これに対して、本発明は、上記遮蔽部を備えていることから、このような一体感に優れた家具においても、利用者の指が操作部材と隣接部材とに挟まれることを防止することができ、利用者に不快感を与えることを防止することができる。
【００１２】
第３の発明は、上記第２の発明において、上記遮蔽部が、上記操作プレートの上記フランジ側の縁部から下方に突出すると共に、操作部材と上記隣接部材との配列方向に表裏面を向ける遮蔽片からなるという構成を採用する。
【００１３】
本発明によれば、操作プレートと一体化して設けることができるため、部品点数を増加させることなく遮蔽部を設けることが可能となる。さらに、上方から操作プレートを視認した場合に、遮蔽片が外観上目立ちにくくなり、遮蔽片により美感が損なわれることがない。
【００１４】
第４の発明は、上記第３の発明において、上記遮蔽片が、上記操作プレートの奥側から先端側に向かうに連れて下方に向かう傾斜辺を有するという構成を採用する。
【００１５】
例えば、操作プレートが利用者にとって目視し難い位置に配置されているような場合には、利用者の指先が操作プレートの根元に掛かる可能性が高まる。操作プレートの根元が、枢軸に近いことから、操作プレートの根元に指先が掛かった状態で操作プレートの姿勢変更を行う場合には非常に強い力で操作プレートを操作する必要があり、利用者に対して操作性が悪い印象を与える原因となる。これに対して、本発明によれば、遮蔽片が、操作プレートの奥側から先端側に向かうに連れて下方に向かう傾斜辺を有する。このため、操作プレートの奥側（すなわち根元側）に大きな力を掛けようとすると、利用者の指先が操作プレートの縁部に設けられた遮蔽片の傾斜辺に沿って操作プレートの先端側に移動しやすくなり、利用者が意識することなく、利用者の指先を操作の行いやすい操作プレートの先端側に誘導することができる。したがって、本発明によれば、弱い力で操作部材の操作を行うことができ、操作性に優れたものとなる。
【００１６】
第５の発明は、上記第２〜第４いずれかの発明において、上記操作部材が、上記操作プレートと上記枢軸とを連結する連結部と、連結部の下面に設けられる突出部とを備えるという構成を採用する。
【００１７】
本発明によれば、連結部を有していることから操作プレートをより枢軸から離して設けることができ、操作プレートの操作をより弱い力で行うことが可能となる。さらに、連結部の下面に突出部が設けられている。このため、操作プレートが利用者にとって目視し難い位置に配置されているような場合であっても、突出部が邪魔をすることによって利用者の指先が枢軸に近い連結部の下面に掛かることを防止し、利用者の指先をより操作の行いやすい操作プレートの先端側に誘導することができる。
【００１８】
第６の発明は、上記第２〜第５いずれかの発明において、上記フランジの上面に沿って移動されるレバーを有すると共に当該レバーを利用者が移動することによって回動可能とされる第２操作部材を備えるという構成を採用する。
【００１９】
本発明によれば、操作部材と第２操作部材とを近接して設けることができるため、操作性に優れたものとなる。さらに、本発明によれば、このような操作性に優れた家具において、利用者の指が操作部材と隣接部材とに挟まれることを防止することが可能となる。
【００２０】
第７の発明は、座の側部あるいは下方に設けられる操作部材と、当該操作部材に隣接して配置される隣接部材とを備える椅子であって、上記第１〜第６いずれかの発明である家具からなるという構成を採用する。
【００２１】
本発明によれば、利用者の指が操作部材と隣接部材とに挟まれることを防止し、利用者に不快感を与えない椅子となる。
【発明の効果】
【００２２】
本発明によれば、操作部材が操作姿勢とされたときに操作部材と隣接部材とによって生じる隙間が遮蔽部によって閉塞され、利用者の指が操作部材と隣接部材とに挟まれることを防止することができ、利用者に不快感を与えることを防止することができる。
【図面の簡単な説明】
【００２３】
【図１】本発明の一実施形態における椅子を正面側から見た斜視図である。
【図２】本発明の一実施形態における椅子を背面側から見た斜視図である。
【図３】本発明の一実施形態における椅子が備える操作ユニットを含む拡大側面図である。
【図４】本発明の一実施形態における椅子が備える操作ユニットの平面図である。
【図５】本発明の一実施形態における椅子が備える操作ユニットを椅子の右側から見た斜視図である。
【図６】本発明の一実施形態における椅子が備える操作ユニットを椅子の左側から見た斜視図である。
【図７】本発明の一実施形態における椅子が備える操作ユニットを含む下面図である。
【図８】本発明の一実施形態における椅子が備える操作ユニットを下方から見た分解斜視図である。
【図９】本発明の一実施形態における椅子が備える操作ユニットを上方から見た分解斜視図である。
【図１０】本発明の一実施形態における椅子が備える昇降操作部材を椅子の右側から見た側面図である。
【図１１】本発明の一実施形態における椅子が備える遮蔽片を椅子の前方から見た正面図である。
【図１２】本発明の一実施形態における椅子が備える昇降操作部材の操作について説明するための模式図であり、（ａ）が、操作プレートが定常姿勢とされている状態を示し、（ｂ）が、操作プレートが操作姿勢とされている状態を示す。
【発明を実施するための形態】
【００２４】
以下、図面を参照して、本発明に係る家具及び椅子の一実施形態について説明する。なお、以下の実施形態においては、本発明の家具を椅子に適用した例について説明する。また、以下の図面において、各部材を認識可能な大きさとするために、各部材の縮尺を適宜変更している。また、以下の説明における前後上下左右の方向は、着座者から見た方向を示している。
【００２５】
図１は、本実施形態の椅子１を正面側から見た斜視図である。また、図２は、本実施形態の椅子１を背面側から見た斜視図である。これらの図に示すように、本実施形態の椅子１は、脚部２と、支基３と、座４と、背凭れ５と、肘掛６と、操作ユニット７とを備えている。
【００２６】
脚部２は、キャスタ２ａ１を有する多肢脚２ａと、多肢脚２ａの中央部より起立する脚柱２ｂとを備えている。この脚柱２ｂは、ガススプリングを内蔵しており、ロッド２ｂ１を昇降可能としている。このような脚部２は、キャスタ２ａ１を床に当接することによって椅子１を床面上において移動可能としており、脚柱２ｂによって座４や背凭れ５等を昇降可能に支持している。
【００２７】
支基３は、脚柱２ｂのロッド２ｂ１の上端に固定されており、座４を下方から支持すると共に、背凭れ５をロッキング可能に支持している。座４は、椅子１の利用者である着座者を下方から支持する部位であり、支基３によって下方から支えられている。背凭れ５は、着座者を後方から支える部位であり、支基３に対して傾動可能に接続されている。肘掛６は、着座者の腕を下方から支える部位であり、座４を左右方向から挟むように背凭れ６に固定されて２つ設けられている。
【００２８】
操作ユニット７は、図２に示すように、座４の右側の側部に設けられている。図３は、操作ユニット７を含む拡大側面図である。また、図４は、操作ユニット７の平面図である。図５は、椅子１の右側から見た操作ユニット７の斜視図である。図６は、椅子１の左側から見た操作ユニット７の斜視図である。図７は、操作ユニット７を含む下面図である。図８は、操作ユニット７を下方から見た分解斜視図である。図９は、操作ユニット７を上方から見た分解斜視図である。なお、図４〜図６、図８、図９においては、後述するカバー７ｄは省略して図示している。
【００２９】
これらの図に示すように、操作ユニット７は、ホルダ７ａと、昇降操作部材７ｂ（操作部材）と、ロッキング調整操作部材７ｃ（第２操作部材）と、カバー７ｄ（図４参照）とを備えている。
【００３０】
ホルダ７ａは、座４の側部に対して不図示のボルト等によって固定されており、昇降操作部材７ｂ及びロッキング調整操作部材７ｃを移動可能に下方から支持している。このホルダ７ａは、ベース部７ａ１と、ベース部７ａ１から上方に突出すると共に昇降操作部材７ｂの後述する枢軸７ｂ１を軸支する軸受部７ａ２とを備えている。
【００３１】
ベース部７ａ１には、ロッキング調整操作部材７ｃの後述する胴部７ｃ１を鉛直軸周りに回動可能に支持する収容溝７ａ３が設けられている。さらに、この収容溝７ａ３の内壁面には、ロッキング調整操作部材７ｃの後述するノック機構７ｃ３の先端部７ｃ３２を案内するための波型部７ａ４が形成されている。
【００３２】
また、ベース部７ａ１には、収容溝７ａ３の形成箇所から椅子１の右側に向けて延設されるフランジ７ａ５（隣接部材）が設けられている。このフランジ７ａ５は、ロッキング調整操作部材７ｃの後述するレバー７ｃ２の下方に設けられており、表裏面を上下に向ける板状の部位である。このフランジ７ａ５の上面には、例えばロッキングの強弱を示す表示が描かれる。このフランジ７ａ５は、昇降操作部材７ｂの後述する操作プレート７ｂ２に隣接して設けられており、本発明の隣接部材に相当し、定常姿勢の操作プレート７ｂ２と同一高さとなるように配置されている。
【００３３】
昇降操作部材７ｂは、不図示の駆動ワイヤ等によって脚柱２ｂと接続されており、ロッド２ｂ１の伸縮量（すなわち座４の高さ）を調節するための操作部材である。この昇降操作部材７ｂは、ホルダ７ａによって下方から支えられると共に上方に設けられるカバー７ｄによって押さえられることによって位置決めされている。
【００３４】
図１０は、昇降操作部材７ｂを椅子１の右側から見た側面図である。この図、また図８及び図９に示すように、昇降操作部材７ｂは、枢軸７ｂ１と、操作プレート７ｂ２と、連結部７ｂ３と、突出部７ｂ４と、遮蔽片７ｂ５（遮蔽部）とを備えている。
【００３５】
枢軸７ｂ１は、椅子１の前後方向に水平に延在する軸部であり、ホルダ７ａの軸受部７ａ２に下方から軸支されている（例えば図４〜図６参照）。操作プレート７ｂ２は、連結部７ｂ３を介して枢軸７ｂ１と接続されており、先端７ｂ６が椅子１の右側に向けて突出された板状である。この操作プレート７ｂ２は、表裏面を上下に向けて配置されており、先端７ｂ６側が上下動するように枢軸７ｂ１を中心として回動可能とされている。この操作プレート７ｂ２は、着座者が座４の昇降を行うときに操作される部位であり、着座者の指先が掛かりやすいよう、下面側に窪み７ｂ７が設けられている。
【００３６】
連結部７ｂ３は、上述のように枢軸７ｂ１と操作プレート７ｂ２とを連結する部位であり、下面が操作プレート７ｂ２の下面と連続するように設けられている。突出部７ｂ４は、連結部７ｂ３の下面に設けられており、当該下面から下方に向けて突出されている。このような突出部７ｂ４は、昇降操作部材７ｂの操作時に着座者の指先が連結部７ｂ３の下面に掛かった場合に、着座者に違和感を与えるためのものであり、この違和感を利用して着座者の指先を操作プレート７ｂ２に誘導する。
【００３７】
図１１は、遮蔽片７ｂ５の椅子１の前方から見た正面図である。遮蔽片７ｂ５は、操作プレート７ｂ２のフランジ７ａ５側の縁部から下方に突出すると共に、椅子１の前後方向（昇降操作部材７ｂとフランジ７ａ５の配列方向）に表裏面を向ける板状の部位である。この遮蔽片７ｂ５は、椅子１の正面側から見て、図１１に示すように、操作プレート７ｂ２の先端７ｂ６側の端部（前端７ｂ５１）から奥側に向かうに連れて操作プレート７ｂ２の下面からの突出量が増し、最大突出部７ｂ５２から奥側に向かうに連れて突出量が減少し、途中から当該突出量が略一定とされた形状とされている。このような遮蔽片７ｂ５は、図１１に示すように、最大突出部７ｂ５２よりも前端７ｂ５１側に位置する湾曲辺７ｂ５３と、最大突出部７ｂ５２よりも操作プレート７ｂ２に奥側に位置する傾斜辺７ｂ５４とを有している。
【００３８】
湾曲辺７ｂ５３は、操作プレート７ｂ２が枢軸７ｂ１を中心として先端７ｂ６が回動したときに、椅子１の前方から見て、湾曲辺７ｂ５３の一部が常にフランジ７ａ５の先端に重なるように弧長及び曲率が設定されている。これによって、操作プレート７ｂ２が回動された場合であっても、椅子１の前方から見て、常にフランジ７ａ５の先端が遮蔽片７ｂ５から突出することを防止することができる。
【００３９】
傾斜辺７ｂ５４は、操作プレート７ｂ２の奥側から先端７ｂ６側に向かうに連れて下方に向かうように傾斜されている。この傾斜辺７ｂ５４は、操作プレート７ｂ２の操作時に着座者の指先が遮蔽片７ｂ５に掛かった場合に、着座者の指先を操作プレート７ｂ２の先端側に誘導する。
【００４０】
このような遮蔽片７ｂ５を有する昇降操作部材７ｂは、操作プレート７ｂ２がフランジ７ａ５と同一高さとされている状態（図５等に示す状態）が座４の昇降を行わない定常姿勢とされ、操作プレート７ｂ２の先端７ｂ６側が上昇される状態が座４の昇降を行う操作姿勢とされている。この昇降操作部材７ｂを着座者が定常姿勢から操作姿勢に変更することによって、座４の昇降が可能となる。
【００４１】
また、昇降操作部材７ｂに設けられた遮蔽片７ｂ５によって、操作プレート７ｂ２側から着座者の指先が、操作姿勢の操作プレート７ｂ２とフランジ７ａ５との隙間に入り込むことを防止することができる。図１２は、昇降操作部材７ｂの操作について説明するための模式図である。図１２（ａ）は、操作プレート７ｂ２が定常姿勢とされている状態を示し、図１２（ｂ）は操作プレート７ｂ２が操作姿勢とされている状態を示している。これらの図に示すように、遮蔽片７ｂ５は、昇降操作部材７ｂが操作姿勢とされたときに操作プレート７ｂ２とフランジ７ａ５とによって生じる隙間を閉塞する。これによって、着座者側に操作プレート７ｂ２とフランジ７ａ５との間に形成される隙間が露出することが防止され、操作プレート７ｂ２側から着座者の指先が隙間に入り込むことを防止することができる。
【００４２】
ロッキング調整操作部材７ｃは、図８及び図９に示すように、円柱状の胴部７ｃ１と、胴部７ｃ１の周面から突出するレバー７ｃ２と、胴部７ｃ１に設けられるノック機構７ｃ３とを備えている。胴部７ｃ１は、ホルダ７ａのベース部７ａ１に設けられた収容溝７ａ３に鉛直軸周りに回動可能に収容されている。この胴部７ｃ１は、ホルダ７ａによって下方から支えられると共に上方に設けられるカバー７ｄによって押さえられることによって位置決めされている。
【００４３】
レバー７ｃ２は、フランジ７ａ５側に突出されている。着座者がレバー７ｃ２を摘まんで回すことによって胴部７ｃ１が回動される。胴部７ｃ１は、不図示の駆動ワイヤ等によって支基３と接続されており、回動位置によってロッキングの強弱を調節する。ノック機構７ｃ３は、先端が側方に突出するように胴部７ｃ１に埋設されたバネ７ｃ３１と、バネ７ｃ３１の先端に設けられる先端部７ｃ３２とを備えている。このノック機構７ｃ３は、バネ７ｃ３１の付勢力によって先端部７ｃ３２をホルダ７ａの波型部７ａ４に押し当ており、波型部７ａ４の波形状の先端を先端部７ｃ３２が乗り越えたときに生じる打撃音によってロッキング調整操作部材７ｃの回動位置を着座者に知らせる。
【００４４】
このように構成された本実施形態の椅子１においては、昇降操作部材７ｂの操作プレート７ｂ２を持ち上げるように回動することによって座４の昇降が可能となる。また、ロッキング調整操作部材７ｃの胴部７ｃ１をレバー７ｃ２によって回動させることによってロッキングの強弱が調節される。
【００４５】
以上のような本実施形態の椅子１においては、着座者の操作によって定常姿勢から操作姿勢に変更される昇降操作部材７ｂと、当該昇降操作部材７ｂに隣接して配置されるフランジ７ａ５とを備えている。さらに、昇降操作部材７ｂに、当該昇降操作部材７ｂが操作姿勢とされたときに昇降操作部材７ｂの操作プレート７ｂ２とフランジ７ａ５とによって生じる隙間を閉塞する遮蔽片７ｂ５を備えている。このため、昇降操作部材７ｂが着座者から目視し難い位置に設けられ、目視することなく昇降操作部材７ｂを操作する場合であっても、着座者の指が昇降操作部材７ｂとフランジ７ａ５とに挟まれることを防止することができ、着座者に不快感を与えることを防止することができる。
【００４６】
また、本実施形態の椅子１においては、昇降操作部材７ｂが、水平方向に延設される枢軸７ｂ１と、表裏面を上下に向ける板状とされると共に当該枢軸７ｂ１を中心として先端７ｂ６側が上昇されることで操作姿勢とされる操作プレート７ｂ２とを備え、操作プレート７ｂ２に隣接して、定常姿勢の昇降操作部材７ｂにおける操作プレート７ｂ２と同一高さに配置されると共に表裏面を上下に向けるフランジ７ａ５が設けられている。本実施形態の本実施形態の椅子１によれば、昇降操作部材７ｂが備える操作プレート７ｂ２とフランジ７ａ５とが、昇降操作部材７ｂが定常姿勢である場合に同一高さに並んで配列されるため、昇降操作部材７ｂとフランジ７ａ５との一体感が増し、美感に優れたものとなる。一方で、操作プレート７ｂ２の先端７ｂ６が上下動されることによって昇降操作部材７ｂが姿勢変更されるため、操作プレート７ｂ２とフランジ７ａ５との間に隙間が生じやすい。これに対して、本実施形態の椅子１は、上記遮蔽片７ｂ５を備えていることから、このような一体感に優れた構造においても、着座者の指が昇降操作部材７ｂとフランジ７ａ５とに挟まれることを防止することができ、着座者に不快感を与えることを防止することができる。
【００４７】
また、本実施形態の椅子１においては、遮蔽片７ｂ５が、操作プレート７ｂ２のフランジ７ａ５側の縁部から下方に突出すると共に、昇降操作部材７ｂとフランジ７ａ５との配列方向に表裏面を向けて設けられている。このため、操作プレート７ｂ２と遮蔽片７ｂ５とが一体化されており、部品点数を増加させることなく遮蔽片７ｂ５を設けることが可能となる。さらに、上方から操作プレート７ｂ２を視認した場合に、遮蔽片７ｂ５が外観上目立ちにくくなり、遮蔽片７ｂ５により美感が損なわれることがない。
【００４８】
また、本実施形態の椅子１においては、遮蔽片７ｂ５が、操作プレート７ｂ２の奥側から先端７ｂ６側に向かうに連れて下方に向かう傾斜辺７ｂ５４を有する。例えば、本実施形態の椅子１のように、操作プレート７ｂ２が着座者にとって目視し難い位置に配置されているような場合には、着座者の指先が操作プレート７ｂ２の根元に掛かる可能性が高まる。操作プレート７ｂ２の根元が、枢軸７ｂ１に近いことから、操作プレート７ｂ２の根元に指先が掛かった状態で操作プレート７ｂ２の姿勢変更を行う場合には非常に強い力で操作プレート７ｂ２を操作する必要があり、着座者に対して操作性が悪い印象を与える原因となる。これに対して、本実施形態の椅子１によれば、操作プレート７ｂ２の奥側（すなわち根元側）に大きな力を掛けようとすると、着座者の指先が傾斜辺７ｂ５４に沿って操作プレート７ｂ２の先端７ｂ６側に移動しやすくなり、着座者が意識することなく、着座者の指先を操作の行いやすい操作プレート７ｂ２の先端７ｂ６側に誘導することができる。したがって、本実施形態の椅子１によれば、弱い力で昇降操作部材７ｂの操作を行うことができ、操作性に優れたものとなる。
【００４９】
また、本実施形態の椅子１においては、昇降操作部材７ｂが、操作プレート７ｂ２と枢軸７ｂ１とを連結する連結部７ｂ３と、連結部７ｂ３の下面に設けられる突出部７ｂ４とを備えている。このような本実施形態の椅子１によれば、連結部７ｂ３を有していることから操作プレート７ｂ２をより枢軸７ｂ１から離して設けることができ、操作プレート７ｂ２の操作をより弱い力で行うことが可能となる。さらに、連結部７ｂ３の下面に突出部７ｂ４が設けられているため、操作プレート７ｂ２が着座者にとって目視し難い位置に配置されているような場合であっても、突出部７ｂ４が邪魔をすることによって着座者の指先が枢軸７ｂ１に近い連結部７ｂ３の下面に掛かることを防止することができる。よって、着座者の指先をより操作の行いやすい操作プレート７ｂ２の先端７ｂ６側に誘導することができる。
【００５０】
また、本実施形態の椅子１においては、フランジ７ａ５の上面に沿って移動されるレバー７ｃ２を有すると共に当該レバー７ｃ２を利用者が移動することによって回動可能とされるロッキング調整操作部材７ｃを備えている。このため、昇降操作部材７ｂとロッキング調整操作部材７ｃとを近接して設けることができるため、操作性に優れたものとなる。さらに、本実施形態の椅子１によれば、このような操作性に優れた椅子１において、着座者の指が昇降操作部材７ｂとフランジ７ａ５とに挟まれることを防止することが可能となる。
【００５１】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００５２】
例えば、上記実施形態においては、本発明の操作部材が昇降操作部材７ｂであり、本発明の隣接部材がフランジ７ａ５である構成について説明した。しかしながら、本発明は、これに限定されるものではない。例えば、座の奥行位置を調整するための奥行調整操作部材を備えるときに、この奥行調整操作部材を昇降操作部材７ｂに対する隣接部材とし、昇降操作部材７ｂと奥行調整操作部材との隙間を閉塞するための遮蔽片を備えるようにしても良い。
【００５３】
また、上記実施形態においては、遮蔽片７ｂ５が操作プレート７ｂ２に設けられた構成について説明した。しかしながら、本発明はこれに限定されるものではなく、フランジ７ａ５に上向きの遮蔽片を設ける構成を採用することも可能である。
【００５４】
また、上記実施形態においては、板状の遮蔽片７ｂ５が本発明の遮蔽部として機能する構成について説明した。しかしながら、本発明はこれに限定されるものではなく、遮蔽部の形状を板状ではない形状とすることも可能である。
【００５５】
また、上記実施形態においては、本発明を椅子に適用した例について説明した。しかしながら、本発明はこれに限定されるものではなく、椅子以外の家具に適用することも可能である。
【符号の説明】
【００５６】
１……椅子、２……脚部、３……支基、４……座、５……背凭れ、６……肘掛、７……操作ユニット、７ａ……ホルダ、７ａ１……ベース部、７ａ２……軸受部、７ａ３……収容溝、７ａ４……波型部、７ａ５……フランジ、７ｂ……昇降操作部材（操作部材）、７ｂ１……枢軸、７ｂ２……操作プレート、７ｂ３……連結部、７ｂ４……突出部、７ｂ５……遮蔽片（遮蔽部）、７ｂ５１……前端、７ｂ５２……最大突出部、７ｂ５３……湾曲辺、７ｂ５４……傾斜辺、７ｂ６……先端、７ｂ７……窪み、７ｃ……ロッキング調整操作部材（第２操作部材）、７ｃ１……胴部、７ｃ２……レバー、７ｃ３……ノック機構、７ｃ３１……バネ、７ｃ３２……先端部、７ｄ……カバー
【図１】
0006552082.tif 000002
【図２】
0006552082.tif 000003
【図３】
0006552082.tif 000004
【図４】
0006552082.tif 000005
【図５】
0006552082.tif 000006
【図６】
0006552082.tif 000007
【図７】
0006552082.tif 000008
【図８】
0006552082.tif 000009
【図９】
0006552082.tif 000010
【図１０】
0006552082.tif 000011
【図１１】
0006552082.tif 000012
【図１２】
0006552082.tif 000013